(57)【要約】  本発明は、遠距離識別イメージ生成装置及びその動作方法に関し、具体的には、向上した可読性を提供することができる遠距離識別イメージ生成装置及びその動作方法に関する。本発明の一実施形態により、遠距離識別イメージ生成装置が提供される。前記遠距離識別イメージ生成装置は、少なくとも一つの文字を含む第１イメージを提供するイメージ提供部と、所定の視点情報を反映して、前記第１イメージの比率が変更された第２イメージを生成するイメージ変換部（前記視点情報は前記第１イメージに対する視線方向及び視線角度のうち少なくとも一つに関する情報を含む）と、前記第１参照点の座標及び前記第１参照点に対応する前記第２参照点の座標を抽出する参照点抽出部を含み、前記イメージ変換部は、前記第１参照点の座標と前記第２参照点の座標とを比較することによって前記第１イメージを変換することができる。
2017529617.tif 000002
【特許請求の範囲】
【請求項１】
遠距離識別イメージ生成装置の動作方法であって、
少なくとも一つの文字を含む第１イメージを提供するステップと、
前記第１イメージに対する視点情報を反映して、前記第１イメージの比率が変更された第２イメージを生成するステップ（前記視点情報は前記第１イメージに対する視線方向及び視線角度のうち少なくとも一つに関する情報を含む）と、
前記第１イメージの第１参照点の座標及び前記第１参照点に対応する前記第２イメージの第２参照点の座標を抽出するステップと、
前記第１参照点の座標と前記第２参照点の座標とを比較することによって前記第１イメージを変換するステップを含むことを特徴とする動作方法。
【請求項２】
前記第２イメージを生成するステップは、
前記第１イメージを３次元イメージに変換するステップと、
前記視点情報を反映して、前記３次元イメージに変換された前記第１イメージを所定の回転軸を中心に前記視線方向に向かって所定の回転角度だけ回転させ、平面イメージを抽出することによって前記第２イメージを生成するステップを含むことを特徴とする、請求項１に記載の動作方法。
【請求項３】
前記回転軸は前記３次元イメージに変換された前記第１イメージと同一平面上の横軸及び縦軸のうち一つであり、
前記回転角度は前記視線角度によって決定されることを特徴とする、請求項２に記載の動作方法。
【請求項４】
前記視線角度をφとする時、前記回転角度は９０°−２φより大きく、９０°より小さい角度であることを特徴とする、請求項３に記載の動作方法。
【請求項５】
前記第１イメージを変換するステップは、
前記第１参照点の座標のうち少なくとも一つの値と前記第１参照点に対応する前記第２参照点の座標のうち少なくとも一つの値とを比較して、前記第１参照点によって分割される基準領域のうち少なくとも一部を拡大または縮小させることによって実行されることを特徴とする、請求項１に記載の動作方法。
【請求項６】
前記変換された第１イメージに所定間隔で繰り返し形成された所定方向の縞模様を含むレイヤを合成するステップをさらに含むことを特徴とする、請求項１に記載の動作方法。
【請求項７】
請求項１〜６のいずれか１項に記載の方法を実行するためのプログラムが記録されたコンピュータ読み取り可能な記録媒体。
【請求項８】
遠距離識別イメージ生成装置であって、
少なくとも一つの文字を含む第１イメージを提供するイメージ提供部と、
所定の視点情報を反映して、前記第１イメージの比率が変更された第２イメージを生成するイメージ変換部（前記視点情報は前記第１イメージに対する視線方向及び視線角度のうち少なくとも一つに関する情報を含む）と、
前記第１参照点の座標及び前記第１参照点に対応する前記第２参照点の座標を抽出する参照点抽出部を含み、
前記イメージ変換部は、前記第１参照点の座標と前記第２参照点の座標とを比較することによって前記第１イメージを変換することを特徴とする遠距離識別イメージ生成装置。
【請求項９】
前記イメージ変換部は、前記第１イメージを３次元イメージに変換し、前記視点情報を反映して、前記３次元イメージに変換された前記第１イメージを所定の回転軸を中心に前記視線方向に向かって所定の回転角度だけ回転させ、平面イメージを抽出することによって前記第２イメージを生成することを特徴とする、請求項８に記載の遠距離識別イメージ生成装置。
【請求項１０】
前記回転軸は前記３次元イメージに変換された前記第１イメージと同一平面上の横軸及び縦軸のうち一つであり、
前記回転角度は前記視線角度によって決定されることを特徴とする、請求項９に記載の遠距離識別イメージ生成装置。
【請求項１１】
前記視線角度をφとする時、前記回転角度は９０°−２φより大きく、９０°より小さい角度であることを特徴とする、請求項１０に記載の遠距離識別イメージ生成装置。
【請求項１２】
前記イメージ変換部は、前記第１参照点の座標のうち少なくとも一つの値と前記第１参照点に対応する前記第２参照点の座標のうち少なくとも一つの値とを比較して、前記第１参照点によって分割される基準領域のうち少なくとも一部を拡大または縮小させることによって前記第１イメージを変換することを特徴とする、請求項８に記載の遠距離識別イメージ生成装置。
【請求項１３】
前記イメージ変換部は、前記変換された第１イメージに所定間隔で繰り返し形成された所定方向の縞模様を含むレイヤを合成することを特徴とする、請求項８に記載の遠距離イメージ生成装置。
【発明の詳細な説明】
【技術分野】
【０００１】
本発明は、遠距離識別イメージ生成装置及びその動作方法に関し、具体的には、向上した可読性を提供することができる遠距離識別イメージ生成装置及びその動作方法に関する。
【背景技術】
【０００２】
図１は従来の路面表示の利用例を示すものである。
【０００３】
図示したように、路面表示は道路上に配置され、道路上の運行と交通安全に必要な拠点での速度制限、進行方向と方面表示、ｈの表示等を通じて様々な情報を運転者に提供することができる。しかし、実際に車両の運転者が車両内で道路上の路面表示を眺める場合、運転者の視線角度や路面表示との距離等に応じた歪み現象により路面表示の可読性が落ちるという問題がある。
【０００４】
このような問題を解決するために、通常、路面表示は横または縦が長い形態等にその比率を調整することによって可読性を改善する方法が試みられている。しかし、このような従来の方法によれば、路面表示調整の具体的な事項や程度等が施工者の主観的な判断基準と施工便宜性等によって決まる場合が多いため、可読性の改善効果が微小であり、一貫した改善効果を提供し難く、周辺環境との不調和をなすという問題もあった。
【０００５】
よって、路面表示等のように、対象表面に表示されて所定の情報を提供する様々な表示の構成において、一貫して容易なイメージ変換方法を提供すると共に、周辺環境との調和をなし、且つ、改善された可読性を提供することができる遠距離識別イメージ生成装置及びその動作方法が求められる。
【発明の概要】
【発明が解決しようとする課題】
【０００６】
本発明は、前記問題を解決するために導き出されたものであり、一貫して容易なイメージ変換方法を提供すると共に、周辺環境との調和をなし、且つ、改善された可読性を提供することができる遠距離識別イメージ生成装置及びその動作方法を提供することをその目的とする。
【課題を解決するための手段】
【０００７】
本発明の一実施形態により、遠距離識別イメージ生成装置の動作方法が提供される。前記動作方法は、少なくとも一つの文字を含む第１イメージを提供するステップ、前記第１イメージに対する視点情報を反映して、前記第１イメージの比率が変更された第２イメージを生成するステップ（前記視点情報は前記第１イメージに対する視線方向及び視線角度のうち少なくとも一つに関する情報を含む）、前記第１イメージの第１参照点の座標及び前記第１参照点に対応する前記第２イメージの第２参照点の座標を抽出するステップ、及び前記第１参照点の座標と前記第２参照点の座標とを比較することによって前記第１イメージを変換するステップを含むことができる。
【０００８】
本発明の一実施形態により、遠距離識別イメージ生成装置の動作方法を実行するためのプログラムが記録されたコンピュータ読み取り可能な記録媒体が提供される。
【０００９】
本発明の一実施形態により、遠距離識別イメージ生成装置が提供される。前記遠距離識別イメージ生成装置は、少なくとも一つの文字を含む第１イメージを提供するイメージ提供部、所定の視点情報を反映して、前記第１イメージの比率が変更された第２イメージを生成するイメージ変換部（前記視点情報は前記第１イメージに対する視線方向及び視線角度のうち少なくとも一つに関する情報を含む）、及び前記第１参照点の座標及び前記第１参照点に対応する前記第２参照点の座標を抽出する参照点抽出部を含み、前記イメージ変換部は、前記第１参照点の座標と前記第２参照点の座標とを比較することによって前記第１イメージを変換することができる。
【発明の効果】
【００１０】
本発明によれば、逆遠近法を活用して原本イメージを変形して遠距離識別イメージを実現することにより、路面、建物壁等の対象表面に前記遠距離識別イメージを表示する時、遠近法によって遠距離イメージがまとまって見える現象を減少させ、可読距離領域内でイメージの近い側と遠い側の横軸の厚さが類似した太さに見えるようになり、可読性をより高めるという効果がある。
【００１１】
本発明によれば、設定された視線方向に応じて原本イメージの縦方向及び横方向のうち一つの方向にのみその相対的比率を変形するため、イメージの過度な変形を防止することによって、適用された書体のアイデンティティを維持させ、周辺環境との調和をなす遠距離識別イメージを提供することができる。
【図面の簡単な説明】
【００１２】
本発明の詳細な説明に引用される図面をより十分に理解するために各図面の簡単な説明が提供される。
【００１３】
【図１】従来の路面表示の利用例を示すものである。
【００１４】
【図２】本発明の一実施形態による遠距離識別イメージ生成装置の原理を示す概念図である。
【００１５】
【図３】本発明の一実施形態による遠距離識別イメージ生成装置を示すものである。
【００１６】
【図４】本発明の一実施形態による遠距離識別イメージ生成装置の動作方法を示すものである。
【００１７】
【図５】本発明の一実施形態による遠距離識別イメージ生成装置の動作方法を示すものである。
【００１８】
【図６】本発明の一実施形態による遠距離識別イメージ生成装置の例示的な動作を示すものである。
【００１９】
【図７】本発明の一実施形態による遠距離識別イメージ生成装置の例示的な動作を示すものである。
【００２０】
【図８】本発明の一実施形態による遠距離識別イメージ生成装置の例示的な動作を示すものである。
【００２１】
【図９】本発明の一実施形態による遠距離識別イメージ生成装置の例示的な動作を示すものである。
【００２２】
【図１０】本発明の一実施形態による遠距離識別イメージ生成装置の例示的な動作を示すものである。
【００２３】
【図１１】本発明の一実施形態による遠距離識別イメージ生成装置の例示的な動作を示すものである。
【００２４】
【図１２】本発明の一実施形態による遠距離識別イメージ生成装置の例示的な動作を示すものである。
【発明を実施するための形態】
【００２５】
以下、本発明に係る実施形態は添付された図面を参照して説明する。各図面の構成要素に参照符号を付ける際、同一の構成要素に対しては他の図面上に表示される時にも可能な限り同一の符号を付けるようにしていることに留意しなければならない。また、本発明の実施形態の説明において、関連の公知構成または機能に関する具体的な説明が本発明の実施形態に対する理解を阻害すると判断される場合にはその詳細な説明は省略する。また、以下では本発明の実施形態について説明するが、本発明の技術的思想はこれに限定または制限されず、当業者によって変形されて多様に実施されることができる。
【００２６】
明細書の全体にかけて、ある部分が他の部分と「連結」されているとする時、これは、「直接的に連結」されている場合だけでなく、その間に他の素子を介在させて「間接的に連結」されている場合も含む。明細書の全体にかけて、ある部分がある構成要素を「含む」とする時、これは、特に反対の記載がない限り、他の構成要素を除くものではなく、他の構成要素をさらに含んでもよいことを意味する。
【００２７】
図２は、本発明の一実施形態による遠距離識別イメージ生成装置の原理を示す概念図である。
【００２８】
本発明の一実施形態による遠距離識別イメージ生成装置（図３の１００）は、逆遠近法を適用して原本イメージを変換することによって、所定の視線方向及び視線角度での可読性が向上した遠距離識別イメージを生成することができる。ここで、逆遠近法は遠近法を逆に適用したものであって、具体的には、凝視対象に対して凝視者の位置から遠い距離にある領域は拡大し、近い距離の領域は縮小して示すことによって、対象物を特定視点から眺める時、遠近法により対象物が歪む現像を減少させる方法に定義される。
【００２９】
図２を参照して詳述すれば、車両の運転者または歩行者等の凝視者が路面等の対象表面上に表示されたイメージａを所定の第１視点Ｓから所定の視線角度（θ）で眺めると仮定すれば、遠近法により、イメージａの下段部ｃ１から上段部ｃ２に進行するほど、イメージの大きさが縮小することのように歪曲されて凝視者の視線に投影されるようになる。このような歪みを補正するためには、凝視者の視線角度（θ）を考慮して、イメージａを下段部ｃ１から上段部ｃ２に行くほど大きさが拡大する形態に変形して表示することが求められる。このような変形イメージを得るために、上述した逆遠近法が適用されることができる。
【００３０】
すなわち、前記第１視点Ｓとイメージａを基準に対称する向い側の位置に仮想の第２視点Ｓ’を設定し、第２視点Ｓ’から凝視者がイメージａを同一の視線角度（θ）で眺めると仮定すれば、第１視点Ｓとは逆に、イメージａの上段部ｃ２から下段部ｃ１に進行するほど、イメージａの大きさが縮小する、言い換えれば、下段部ｃ１から上段部ｃ２に行くほど大きさが拡大するように凝視者の視線に投影されるようになる。逆方向の仮想の第２視点Ｓ’から凝視者に投影されるこのようなイメージは、第１視点Ｓと同一の視線角度（θ）に応じて、原本イメージａが下段部ｃ１から上段部ｃ２に行くほど大きさが拡大する形態に変形されたものであるため、これに基づいて路面等の対象表面に表示される実際イメージを構成する場合、第１視点Ｓでの上述した歪み現象を最小化できるようになる。
【００３１】
このような逆遠近法を用いた本発明の一実施形態による遠距離識別イメージ生成装置（図３の１００）の具体的な動作は図４〜図１１を参照して詳述する。
【００３２】
図３は、本発明の一実施形態による遠距離識別イメージ生成装置を示すものである。
【００３３】
図３を参照すれば、本発明の一実施形態による遠距離識別イメージ生成装置１００は、ユーザ入力部１１０、イメージ提供部１２０、参照点抽出部１３０及びイメージ変換部１４０を含むことができる。
【００３４】
ユーザ入力部１１０は、第１イメージの表示領域を定義するための幅（ｗ）及び高さ（ｈ）、第１イメージに含まれる所定の文字及び／又は記号、これらの書体等を設定するためのユーザ入力を受信してイメージ提供部１２０に伝達することができる。このようなユーザ入力に応じて、イメージ提供部１２０は、少なくとも一つの文字及び／又は記号を含む２次元イメージの第１イメージを前記表示領域上に提供することができる。また、ユーザ入力部１１０は、視点情報を受信してイメージ変換部１４０に伝達することができる。イメージ変換部１４０は、受信した視点情報を反映して、第１イメージを所定の第２イメージに変換する。この時、視点情報は、視線方向、視線角度及び基準距離のうち少なくとも一つに関する情報を含むことができる。視線情報に関する具体的な説明は図４〜図１１を参照して詳述する。ユーザ入力部１１０は、タッチスクリーン、マウス、キーボード等の所定のユーザ入力を受信できる当分野で周知の様々な入力手段で実現されることができる。
【００３５】
イメージ提供部１２０は、少なくとも一つの文字及び／又は記号を含む第１イメージを提供することができる。すなわち、ユーザが第１イメージの表示領域を定義するための幅（ｗ）及び高さ（ｈ）の設定値、第１イメージに含まれる所定の文字及び／又は記号、書体に関する設定情報をユーザ入力部１１０を介して入力すれば、イメージ提供部１２０は、設定された表示領域上に所定の書体で表示される少なくとも一つの文字及び／又は記号を配置することによって第１イメージを生成することができる。
【００３６】
参照点抽出部１３０は、第１イメージの第１参照点（図９のｒ１−ｒ７）の座標と第１参照点（図９のｒ１−ｒ７）に対応する第２イメージの第２参照点（図９のｒ１’−ｒ７’）の座標とを抽出してイメージ変換部１４０に伝達することができる。すなわち、イメージ変換部１４０が所定の視点情報を反映して、第１イメージの少なくとも一領域の比率が変更された第２イメージを生成すれば、参照点抽出部１３０は、第１イメージの第１参照点（図９のｒ１−ｒ７）とそれに対応する第２イメージの第２参照点（図９のｒ１’−ｒ７’）の座標を抽出し、抽出結果をイメージ変換部１４０に伝達することができる。イメージ変換部１４０は、第１参照点（図９のｒ１−ｒ７）と第２参照点（図９のｒ１’−ｒ７’）の座標を比較することにより、第１参照点（図９のｒ１−ｒ７）によって分割される第１イメージ上の基準領域の大きさを変更することによって遠距離識別イメージを生成するようになる。
【００３７】
イメージ変換部１４０は、所定の視点情報を反映して、第１イメージの少なくとも一領域の比率が変更された第２イメージを生成することができる。具体的には、イメージ変換部１４０は、所定の方式により、第１イメージを３次元イメージに変換し、視点情報を反映して、３次元イメージに変換された第１イメージを所定の回転軸を中心に視線方向に向かって所定の角度だけ回転させた後、設定された視線方向の向かい側から第１イメージを眺めた平面イメージを抽出することによって、逆遠近法が適用された第２イメージを生成することができる。この時、第１イメージの回転角度は設定された視線角度に応じて決定されることができる。また、イメージ変換部１４０は、第１参照点（図９のｒ１−ｒ７）の座標と第２参照点（図９のｒ１’−ｒ７’）の座標とを比較することによって、第１イメージを遠距離識別イメージに変換することができる。具体的には、イメージ変換部１４０は、第１参照点（図９のｒ１−ｒ７）の座標のうち少なくとも一つの値と第１参照点（図９のｒ１−ｒ７）に対応する第２参照点（図９のｒ１’−ｒ７’）の座標のうち少なくとも一つの値とを比較して、第１参照点（図９のｒ１−ｒ７）によって分割される基準領域のうち少なくとも一部を拡大または縮小させることによって、第１イメージを遠距離識別イメージに変換する。
【００３８】
図３において、ユーザ入力部１１０、イメージ提供部１２０、参照お点抽出部１３０及びイメージ変換部１４０は複数の物理的な装置によって実現されてもよく、一つの物理的な装置によって実現されてもよい。例えば、ユーザ入力部１１０、イメージ提供部１２０、参照点抽出部１３０及びイメージ変換部１４０の各々はソフトウェア（ｓｏｆｔｗａｒｅ）を利用したり、ファームウェア（ｆｉｒｍｗａｒｅ）を利用したりする等様々な方式を利用して実現されることができる。
【００３９】
このような本発明の一実施形態による遠距離識別イメージ生成装置１００のより具体的な動作方法は図４及び図１２を参照して詳述する。
【００４０】
図４及び図５は、本発明の一実施形態による遠距離識別イメージ生成装置の動作方法を示すものである。また、図６〜図１２は、本発明の一実施形態による遠距離識別イメージ生成装置の例示的な動作を示すものである。
【００４１】
Ｓ４１０ステップにおいて、イメージ提供部１２０は、少なくとも一つの文字及び／又は記号を含む第１イメージを提供することができる。この時、第１イメージは、ユーザ入力部１１０を介した所定のユーザ入力に基づいて生成された２次元イメージであってもよい。すなわち、ユーザが第１イメージの表示領域を定義するための幅（ｗ）及び高さ（ｈ）の設定値、第１イメージに含まれる所定の文字及び／又は記号、書体に関する設定情報をユーザ入力部１１０を介して入力すれば、イメージ提供部１２０は、図６に示すように、ユーザによって設定された表示領域上に所定の書体で表示される少なくとも一つの文字及び／又は記号を配置することによって２次元イメージの第１イメージを生成することができる。この時、設定された表示領域は、その後、生成された遠距離識別イメージが実際に印刷、付着等によって表示される、例えば、路面、壁等の対象表面上の表示領域に対応することができる。一方、実施形態に応じて、第１イメージはメモリ部（図示せず）に既に格納された２次元イメージであってもよい。
【００４２】
次に、Ｓ４２０ステップにおいて、イメージ変換部１４０は、所定の視点情報を反映して、第１イメージの少なくとも一領域の比率が変更された第２イメージを生成することができる。すなわち、イメージ変換部１４０は、所定の視点情報に基づいて、図２を参照して詳述した逆遠近法により第１イメージの少なくとも一領域の比率を変更することによって第２イメージを生成する。ここで、視点情報は第１イメージに対する仮想の凝視者の視線の中心が位置する３次元上の地点（すなわち、基準視点）を定義するための情報であって、視点情報は第１イメージに対する視線方向、視線角度、基準距離のうち少なくとも一つに関する情報を含むことができる。また、ここで、第１イメージに対する視線方向及び視線角度は、基準視点から第１イメージの中心ｍを連結した仮想の延長線の進行方向と前記延長線が第１イメージとなす角度に各々定義されることができる。この時、視線方向は、好ましくは、図６に示すように、前記延長線が第１イメージの中心ｍを通過する横軸ｕまたは縦軸ｖと垂直になるように、第１イメージの下側外部の基準視点から第１イメージの中心ｍを眺める方向（Ｅ方向）、上側外部の基準視点から第１イメージの中心ｍを眺める方向（Ｆ方向）、左側外部の基準視点から第１イメージの中心ｍを眺める方向（Ｇ方向）及び右側外部の基準視点から第１イメージの中心ｍを眺める方向（Ｉ方向）のうち一つであり、ユーザ入力に応じて選択されることができる。また、基準距離は、第１イメージの中心から前記基準視点までの水平距離に定義されることができる。このような視線方向、視線角度及び基準距離のうち少なくとも一つはユーザ入力部１１０を介したユーザ入力に応じて設定されることができる。
【００４３】
図５を参照すれば、Ｓ４２０ステップは、第１イメージを３次元イメージに変換するステップ（Ｓ４２２）、及び第１イメージを視線方向に向かって所定の回転角度だけ回転し、平面イメージ抽出することによって第２イメージ生成するステップ（Ｓ４２４）で構成されることができる。
【００４４】
先ず、Ｓ４２２ステップにおいて、イメージ変換部１４０は、第１イメージを３次元イメージに変換することができる。このような２次元平面イメージの３次元イメージへの変換は当分野で適用可能な様々な方法によって行われることができる。一例として、イメージ変換部１４０は、互いに直交した三つの軸、すなわち、ｘ軸、ｙ軸及びｚ軸に定義される３次元座標空間において、ｘ軸及びｙ軸の座標値によって定義されるｘｙ平面に第１イメージを代入させ、ｚ軸の座標値を同一値（例えば、０）に設定する等の方法により第１イメージを３次元イメージに変換することができる。
【００４５】
Ｓ４２４ステップにおいて、イメージ変換部１４０は、視点情報を反映して、３次元イメージに変換された第１イメージを所定の回転軸を中心に視線方向に向かって所定の回転角度だけ回転させた後、設定された視線方向の向かい側から第１イメージを眺めた平面イメージを抽出することによって第２イメージを生成することができる。この時、回転軸は、好ましくは、設定された視線方向と垂直であり、第１イメージの中心を通過する第１イメージとの同一平面上の横軸ｕ及び縦軸ｖのうち一つであってもよい。具体的には、回転軸は、視線方向がＥまたはＦ方向であれば横軸ｕになり、視線方向がＧまたはＩ方向であれば縦軸ｖに決定される。また、第１イメージの回転角度は設定された視線角度に応じて決定されることができる。設定された視線角度をφとする時、前記回転角度は９０°−２φより大きく、９０°より小さい角度であってもよく、好ましくは９０°−φの角度であってもよい。
【００４６】
Ｓ４２４ステップにおいて、イメージ変換部１４０は、先ず、回転した第１イメージを回転前の第１イメージが含まれた平面上に投影させることによって、設定された視線方向の向かい側から第１イメージを眺めた所定の平面イメージを抽出することができる。すなわち、例えば、図７を参照すれば、設定された視線方向がＥ方向である時、イメージ変換部１４０は、横軸ｕを回転軸にして、第１イメージを視線方向に９０°−視線角度（φ）だけ回転させ、回転した第１イメージを回転前の第１イメージが含まれた平面（例えば、ｘｙ平面）上に投影させる方式で平面イメージを抽出することができる。この場合、抽出された平面イメージは、視線方向であるＥ方向と対称するＦ方向から同一の視線角度（φ）で第１イメージを眺めた時、凝視者の視線に投影されるイメージと同一のイメージとなる。
【００４７】
次に、イメージ変換部１４０は、抽出された平面イメージを所定方向に所定の倍数だけ拡大して、抽出された平面イメージの高さ及び幅のうち一つを第１イメージと対応するように修正することによって、逆遠近法が適用された第２イメージを生成することができる。この時、抽出された平面イメージを拡大させる方向は設定された視線方向に応じて決定されることができる。すなわち、視線方向がＥまたはＦ方向であれば、縦方向（または、高さ方向）に抽出された平面イメージを拡大し、視線方向がＧまたはＩ方向であれば、横方向（または、幅方向）に抽出された平面イメージを拡大するようになる。図８を参照すれば、図７に示された平面イメージを第１イメージの高さと同一に縦方向（または、高さ方向）に拡大することによって、生成された第２イメージを確認することができる。図８に示された第２イメージは視線方向がＥ方向である場合を前提に生成されたため、逆遠近法により、第２イメージの下側から上側に行くほど文字の幅と長さが大きくなる形態を有する。
【００４８】
一方、Ｓ４２４ステップに対し、第１イメージの回転、回転した第１イメージから平面イメージの抽出及び抽出された平面イメージを拡大する過程が順次行われることとして詳述されているが、これに限定されず、実施形態に応じて所定のアプリケーションプログラムにより前記過程が一括して行われるように実現されることができる。
【００４９】
Ｓ４３０ステップにおいて、参照点抽出部１３０は、第１イメージの第１参照点（ｒ１−ｒ７）の座標と第１参照点（ｒ１−ｒ７）に対応する第２イメージの第２参照点（ｒ１’−ｒ７’）の座標とを抽出することができる。ここで、第１参照点（ｒ１−ｒ７）は第１イメージを複数の基準領域に分割するための基準となる地点を意味するものであり、第１参照点（ｒ１−ｒ７）の決定基準は本発明が適用される実施形態に応じて様々である。すなわち、図９には一つの文字を基準に第１参照点（ｒ１−ｒ７）を決定することとして示されているが、これは例示的なものであって、実施形態に応じて、第１参照点（ｒ１−ｒ７）は第１イメージに含まれた１以上の文字及び／又は記号を基準にして決定されるように構成されることができる。
【００５０】
第１参照点（ｒ１−ｒ７）が決定されれば、図９に示すように、第１イメージは第１参照点（ｒ１−ｒ７）によって複数の基準領域に分割されることができる。この時、第１参照点（ｒ１−ｒ７）による複数の領域の分割方向は設定された視線方向に応じて決定されることができる。すなわち、視線方向がＥまたはＦ方向であれば、基準領域は第１参照点（ｒ１−ｒ７）を基準に水平分割され、視線方向がＧまたはＩ方向であれば、第１参照点（ｒ１−ｒ７）を基準で垂直分割される。
【００５１】
その後、イメージ変換部１４０は、第１参照点（ｒ１−ｒ７）の座標と第２参照点（ｒ１’−ｒ７’）の座標とを比較して、前記基準領域を拡大または縮小させることによって第１イメージを変形することができる。
【００５２】
図９に示された第１参照点（ｒ１−ｒ７）及び第２参照点（ｒ１’−ｒ７’）の位置及び個数は例示的なものであって、本発明が適用される実施形態に応じて様々な構成が適用されることができる。
【００５３】
Ｓ４４０ステップにおいて、イメージ変換部１４０は、第１参照点（ｒ１−ｒ７）の座標と第２参照点（ｒ１’−ｒ７’）の座標とを比較することによって、第１イメージを遠距離識別イメージに変換することができる。具体的には、イメージ変換部１４０は、第１参照点（ｒ１−ｒ７）の座標のうち少なくとも一つの値と第１参照点（ｒ１−ｒ７）に対応する第２参照点（ｒ１’−ｒ７’）の座標のうち少なくとも一つの値とを比較して、第１参照点（ｒ１−ｒ７）によって分割される基準領域のうち少なくとも一部を拡大または縮小させることによって第１イメージを変換することができる。例えば、Ｅ方向の視線方向が適用されることを前提に、第１イメージの第１参照点であるｒ４、ｒ５の座標が各々（ｘ４、ｙ４）、（ｘ５、ｙ５）であり、それに対応する第２参照点であるｒ４’、ｒ５’の座標が（ｘ４’、ｙ４’）、（ｘ５’、ｙ５’）であると仮定すれば、第１参照点ｒ４、ｒ５によって定義される基準領域の高さがｙ５−ｙ４からｙ５’−ｙ４’になるように、第１参照点ｒ４、ｒ５によって定義される基準領域を縦方向に拡大または縮小させることができ、このような過程を第１参照点（ｒ１−ｒ７）によって分割される基準領域の各々に対して行うことによって、原本の第１イメージを縦方向に補正した図１０の遠距離識別イメージを生成することができる。図１０を参照すれば、遠距離識別イメージ上で原本イメージである図６の第１イメージが縦方向に行くほど長さが長くなるように変形されたことを確認することができる。
【００５４】
一方、図４には図示されていないが、本発明の一実施形態による遠距離識別イメージ生成装置１００の動作方法４００は、Ｓ４４０ステップにより変換された第１イメージに所定方向の縞模様を含むレイヤを合成するステップをさらに含むことができる。すなわち、前記ステップにおいて、イメージ変換部１４０は、Ｓ４４０ステップにより変換された第１イメージに所定の厚さ及び間隔で繰り返し形成された所定方向の縞模様を含むレイヤを重ねて合成することにより、図１１に示すように、遠距離識別イメージ上に所定方向の縞模様が所定の厚さ及び間隔で表示されるようにすることができる。この時、縞模様の方向は視線方向に応じて互いに異なるように決定されることができる。具体的には、視線方向がＥまたはＦ方向であれば、横方向の縞模様を含むレイヤを合成し、視線方向がＧまたはＩ方向であれば、縦方向の縞模様を含むレイヤを合成するように実現されることができる。このような縞模様の合成により、実際の対象表面での印刷時に塗料等を節約することができ、遠距離識別イメージが視覚的により環境に融合して見えるようにする効果を得ることができる。一例として、前記縞模様の厚さと縞模様間の間隔の比率は４：１であることが好ましいが、状況に応じて多様に変更されることができる。
【００５５】
図１２には、図１０の遠距離識別イメージをＥ方向の視線方向から所定の設定視線角度で眺める時、凝視者の視線に投影されるイメージが例示的に示される。図１２を参照すれば、本発明の一実施形態による遠距離識別イメージ生成装置１００により生成された遠距離識別イメージを通じて、特定の視線方向及び視線角度から凝視者に投影されるイメージに対する可読性が大幅に向上することを確認することができる。
【００５６】
一方、本明細書に記載された様々な実施形態は、ハードウェア、ミドルウェア、マイクロコード、ソフトウェア及び／又はこれらの組み合わせによって実現されることができる。例えば、様々な実施形態は、一つ以上の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、制御装置、マイクロ制御装置、マイクロプロセッサ、ここで提示される機能を実行するように設計されている他の電子ユニットまたはこれらを組み合わせたもの内で実現されてもよい。
【００５７】
また、例えば、様々な実施形態は、命令を含むコンピュータ読み取り可能な媒体に収録されるかまたは符号化されてもよい。コンピュータ読み取り可能な媒体に収録または符号化された命令は、プログラム可能なプロセッサまたは他のプロセッサが、例えば、命令が実行される時に方法を実行するようにすることができる。コンピュータ読み取り可能な媒体は、コンピュータ格納媒体、及び一箇所から他箇所にコンピュータプログラムの移送を容易にする任意の媒体を含む通信媒体全てを含む。格納媒体はコンピュータによってアクセスできる任意の使用可能媒体であってもよい。例えば、このようなコンピュータ読み取り可能な媒体は、ＲＡＭ、ＲＯＭ、ＥＥＰＲＯＭ、ＣＤ−ＲＯＭまたはその他の光学ディスク格納媒体、磁気ディスク格納媒体またはその他の磁気格納デバイス、または所望のプログラムコードをコンピュータによってアクセス可能な命令またはデータ構造の形態で輸送または格納するのに利用できる任意の他の媒体を含むことができる。
【００５８】
このようなハードウェア、ソフトウェア、ファームウェア等は本明細書に記述された様々な動作及び機能を支援するように同一のデバイス内でまたは個別のデバイス内で実現されてもよい。なお、本発明において、「〜部」と記載された構成要素、ユニット、モジュール、コンポーネント等は共に実現されてもよい。または、個別的であるが互いに運用可能なロジックデバイスとして個別的に実現されてもよい。モジュール、ユニット等に対する互いに異なる特徴の描写は互いに異なる機能的実施形態を強調するために意図されたものであり、これらが個別ハードウェアまたはソフトウェアコンポーネントによって実現されなければならないということを必ずしも意味するものではない。かえって、一つ以上のモジュールまたはユニットと関連した機能は、個別ハードウェアまたはソフトウェアコンポーネントによって実行されるか、または共通のまたは個別のハードウェアまたはソフトウェアコンポーネント内に統合されてもよい。
【００５９】
特定の順序に動作が図面に図示されているが、このような動作が望む結果を達成するために、図示された特定の順序または順次的な順序に実行されるか、または全ての図示された動作が実行される必要があるものとして理解されてはならない。任意の環境ではマルチタスキング及び並列プロセシングが有利である。さらに、上述した実施形態において、様々な構成要素の区分は全ての実施形態でこのような区分を必要とするものとして理解されてはならず、記述された構成要素が一般的に単一ソフトウェア製品として共に統合されるか、多数のソフトウェア製品にパッケージングできるということが理解されなければならない。
【００６０】
以上のように図面と明細書により最適の実施形態が開示された。ここでは特定の用語が用いられたが、これは単に本発明を説明するための目的で用いられたものであって、意味の限定や特許請求の範囲に記載された本発明の範囲を制限するために用いられたものではない。よって、本技術分野の通常の知識を有した者であれば、これより様々な変形及び均等な他の実施形態が可能であるということを理解することができるであろう。よって、本発明の真の技術的な保護範囲は添付された特許請求の範囲の技術的思想によって定められなければならない。
【図１】
2017529617.tif 000003
【図２】
2017529617.tif 000004
【図３】
2017529617.tif 000005
【図４】
2017529617.tif 000006
【図５】
2017529617.tif 000007
【図６】
2017529617.tif 000008
【図７】
2017529617.tif 000009
【図８】
2017529617.tif 000010
【図９】
2017529617.tif 000011
【図１０】
2017529617.tif 000012
【図１１】
2017529617.tif 000013
【図１２】
2017529617.tif 000014
【国際調査報告】
2017529617.tif 000015
2017529617.tif 000016
2017529617.tif 000017
2017529617.tif 000018